(57)【要約】【課題】２種類の通信方式を利用してデータを中継する際に、接続状態に応じて連続的かつ円滑にデータを転送すること。【解決手段】移動通信端末２は、移動通信網ＮＷに接続してデータをダウンロードする移動通信部１２１と、ダウンロードデータを近距離通信によって対向設備に送信する近距離通信部１２２と、対向設備との接続状態を検出する通信管理部１２３と、ダウンロードデータを一時記憶するデータ記憶部１２６と、一時記憶されたデータを順次近距離通信部１２２に引き渡すデータ管理部１２５とを備え、データ記憶部１２６は、接続状態が圏外状態を示した時には、移動通信部１２１によるダウンロードデータを追加して記憶し、データ管理部１２５は、接続状態が圏外状態から正常状態に遷移した時には、データ記憶部１２６によって記憶された未送信のデータブロックを近距離通信部１２２に引き渡す。【選択図】図１
2011004258.tif 000002
【特許請求の範囲】
【請求項１】
移動通信網に接続してデータをダウンロードする移動通信手段と、
前記移動通信手段によってダウンロードされた前記データを、近距離通信によって対向設備に送信する近距離通信手段と、
前記近距離通信手段による前記対向設備との接続状態を検出する通信管理手段と、
前記移動通信手段によってダウンロードされたデータを一時記憶するデータ記憶手段と、
前記データ記憶手段によって一時記憶されたデータを順次近距離通信手段に引き渡すデータ管理手段とを備え、
前記データ記憶手段は、前記通信管理手段によって検出された前記接続状態が切断状態を示した時には、前記移動通信手段によってダウンロードされているデータを追加して記憶し、
前記データ管理手段は、前記通信管理手段によって検出された前記接続状態が切断状態から正常状態に遷移した時には、前記データ記憶手段によって記憶された前記データの未送信の部分を、前記近距離通信手段に引き渡す、
ことを特徴とする移動通信端末。
【請求項２】
前記通信管理手段によって検出された前記接続状態が切断状態を示している時間を測定する計時手段を更に備え、
前記データ記憶手段は、前記計時手段によって測定された時間が閾値以上の場合には、前記移動通信手段によってダウンロードされて一時記憶したデータを削除する、
ことを特徴とする請求項１記載の移動通信端末。
【請求項３】
前記データ管理手段は、前記計時手段によって測定された時間が前記閾値以上の場合には、前記データに関連して動作するアプリケーション機能部に対して、前記切断状態を通知する、
ことを特徴とする請求項２記載の移動通信端末。
【請求項４】
移動通信手段が、移動通信網に接続してデータをダウンロードする移動通信ステップと、
近距離通信手段が、前記移動通信手段によってダウンロードされた前記データを、近距離通信によって対向設備に送信する近距離通信ステップと、
通信管理手段が、前記近距離通信手段による前記対向設備との接続状態を検出する通信管理ステップと、
データ記憶手段が、前記移動通信手段によってダウンロードされたデータを一時記憶するデータ記憶ステップと、
データ管理手段が、前記データ記憶手段によって一時記憶されたデータを順次近距離通信手段に引き渡すデータ管理ステップとを備え、
前記データ記憶ステップでは、前記通信管理手段によって検出された前記接続状態が切断状態を示した時には、前記移動通信手段によってダウンロードされているデータを追加して記憶し、
前記データ管理ステップでは、前記通信管理手段によって検出された前記接続状態が切断状態から正常状態に遷移した時には、前記データ記憶手段によって記憶された前記データの未送信の部分を、前記近距離通信手段に引き渡す、
ことを特徴とするデータダウンロード方法。
【発明の詳細な説明】
【技術分野】
【０００１】
本発明は、移動通信と近距離通信との連携によりデータをダウンロードする移動通信端末及びデータダウンロード方法に関するものである。
【背景技術】
【０００２】
従来から、通信回線を介してサーバとクライアントの間でデータの送受信を行うクライアント・サーバシステムが知られている（例えば、下記特許文献１参照。）。このようなクライアント・サーバシステムでは、データ通信中に通信回線が切断された後に復旧した時には、サーバが回線復旧後に一時保持したデータを取り出してクライアントへ再送するようにしている。これにより、回線断から復旧した後にアプリケーション間通信の再開を自動的に行うことを可能にしている。
【０００３】
一方で、近年では、携帯電話機等の移動通信端末に赤外線通信、ブルートゥース通信、非接触ＩＣカード通信等の近距離通信機能が搭載されるようになっており、このような移動通信端末において移動通信網からダウンロードされたデータを、近距離通信によってパーソナルコンピュータ等に転送することも実現されている。
【先行技術文献】
【特許文献】
【０００４】
【特許文献１】特開平１０−３３６２７２号公報
【発明の概要】
【発明が解決しようとする課題】
【０００５】
しかしながら、上述した近距離通信機能は対向する設備に対して通信可能な範囲が限定されており、移動通信端末の使用状態によって通信断が発生しやすい傾向にある。例えば、近距離通信によるデータ通信中に着呼があった場合は、移動通信端末を取り上げることにより近距離通信の通信断が生じてしまう場合がある。従って、上記従来のデータ再送方法によっては、２種類の通信方式を利用してデータをダウンロードする際に、アプリケーションプログラムやユーザ操作等の介在無しにリアルタイムにデータを転送することは困難であった。
【０００６】
そこで、本発明は、かかる課題に鑑みて為されたものであり、２種類の通信方式を利用してデータを中継する際に、接続状態に応じて連続的かつ円滑にデータを転送することが可能な移動通信端末、及びデータダウンロード方法を提供することを目的とする。
【課題を解決するための手段】
【０００７】
上記課題を解決するため、本発明の移動通信端末は、移動通信網に接続してデータをダウンロードする移動通信手段と、移動通信手段によってダウンロードされたデータを、近距離通信によって対向設備に送信する近距離通信手段と、近距離通信手段による対向設備との接続状態を検出する通信管理手段と、移動通信手段によってダウンロードされたデータを一時記憶するデータ記憶手段と、データ記憶手段によって一時記憶されたデータを順次近距離通信手段に引き渡すデータ管理手段とを備え、データ記憶手段は、通信管理手段によって検出された接続状態が切断状態を示した時には、移動通信手段によってダウンロードされているデータを追加して記憶し、データ管理手段は、通信管理手段によって検出された接続状態が切断状態から正常状態に遷移した時には、データ記憶手段によって記憶されたデータの未送信の部分を、近距離通信手段に引き渡す、ことを特徴とする。
【０００８】
或いは、本発明のデータダウンロード方法は、移動通信手段が、移動通信網に接続してデータをダウンロードする移動通信ステップと、近距離通信手段が、移動通信手段によってダウンロードされたデータを、近距離通信によって対向設備に送信する近距離通信ステップと、通信管理手段が、近距離通信手段による対向設備との接続状態を検出する通信管理ステップと、データ記憶手段が、移動通信手段によってダウンロードされたデータを一時記憶するデータ記憶ステップと、データ管理手段が、データ記憶手段によって一時記憶されたデータを順次近距離通信手段に引き渡すデータ管理ステップとを備え、データ記憶ステップでは、通信管理手段によって検出された接続状態が切断状態を示した時には、移動通信手段によってダウンロードされているデータを追加して記憶し、データ管理ステップでは、通信管理手段によって検出された接続状態が切断状態から正常状態に遷移した時には、データ記憶手段によって記憶されたデータの未送信の部分を、近距離通信手段に引き渡す、ことを特徴とする。
【０００９】
このような移動通信端末及びデータダウンロード方法によれば、移動通信手段によってデータがダウンロードされ、近距離通信手段によってそのデータが対向設備に送信され、通信管理手段によって近距離通信手段による接続状態が検出され、データ記憶手段によってダウンロードされたデータが一時記憶され、データ管理手段によって一時記憶されたデータが近距離通信手段に引き渡される。ここで、近距離通信手段の接続状態が切断状態であっても、データ記憶手段にはダウンロード中のデータが追加して記憶され、その後、切断状態から正常状態に遷移すると、データ記憶手段に記憶されたデータの未送信の部分が、近距離通信手段に引き渡されて対向設備に送信される。これにより、近距離通信手段が一時切断された場合であっても、ダウンロードデータを欠落や重複を生じることなく対向設備に転送することができる。その結果、移動通信方式及び近距離通信方式の２種類の通信方式を利用してデータを中継する場合に、近距離通信方式の接続状態に応じて円滑にデータをダウンロードさせることができる。
【００１０】
ここで、通信管理手段によって検出された接続状態が切断状態を示している時間を測定する計時手段を更に備え、データ記憶手段は、計時手段によって測定された時間が閾値以上の場合には、移動通信手段によってダウンロードされて一時記憶したデータを削除する、ことが好ましい。
【００１１】
この場合、近距離通信手段がある一定時間以上切断されている場合に、一時保持したデータを削除するので、再度該当データをダウンロードすることでデータの信頼性を保つことができる。
【００１２】
また、データ管理手段は、計時手段によって測定された時間が閾値以上の場合には、データに関連して動作するアプリケーション機能部に対して、切断状態を通知する、ことも好ましい。
【００１３】
こうすれば、近距離通信手段がある一定時間以上切断されている場合にアプリケーション機能部による所定の動作を可能にするので、通信障害時のデータ再送等の円滑な復旧処理が実現される。
【発明の効果】
【００１４】
本発明によれば、２種類の通信方式を利用してデータを中継する際に、接続状態に応じて連続的かつ円滑にデータを転送することができる。
【図面の簡単な説明】
【００１５】
【図１】本発明の好適な一実施形態であるデータダウンロードシステムを示す接続構成図である。
【図２】図１の移動通信端末のハードウェア構成を示すブロック図である。
【図３】図１の移動通信端末のデータダウンロード時の動作を示すフローチャートである。
【図４】図１の移動通信端末におけるデータダウンロード処理の概念図である。
【発明を実施するための形態】
【００１６】
以下、図面とともに本発明による移動通信端末、及びデータダウンロード方法の好適な実施形態について詳細に説明する。なお、図面の説明においては同一要素には同一符号を付し、重複する説明を省略する。
【００１７】
図１は、本発明の好適な一実施形態であるデータダウンロードシステム１を示す接続構成図である。同図に示すデータダウンロードシステム１は、移動通信網ＮＷに接続されたサーバ装置４から、移動通信端末２を経由して、パーソナルコンピュータ（対向設備）５にテキストデータ、音声データ、画像データ、プログラムコード等の各種データをダウンロードするためのクライアント・サーバシステムである。なお、移動通信端末２とサーバ装置４とは、Ｗ−ＣＤＭＡ（Wideband Code Division Multiple Access）やＣＤＭＡ２０００等の移動通信方式が採用された移動通信網ＮＷを介して相互にデータ通信が可能なように接続され、移動通信端末２とパーソナルコンピュータ５とは、赤外線通信、ブルートゥース通信、非接触ＩＣカード通信等の近距離通信方式によって相互にデータ通信が可能なように接続される。移動通信端末２は、携帯電話機、ＰＤＡ（Personal Digital Assistance）等に代表される端末装置であり、基地局３と無線接続されることにより、移動通信網ＮＷに対してデータを送受信する。
【００１８】
次に、移動通信端末２の構成について詳細に説明する。
【００１９】
図２に示すように、移動通信端末２は、物理的には、ＣＰＵ２２、主記憶装置であるＲＡＭ２３及びＲＯＭ２４、ハードディスク装置等の補助記憶装置２６、入力デバイスである入力キー、マウス等の入力装置２７、ディスプレイ等の出力装置２８、移動通信網ＮＷとの間でのデータの送受信を司る移動通信モジュール２５Ａ、近距離通信方式によるデータの送受信を司る近距離通信モジュール２５Ｂなどを含む情報処理装置として構成されている。移動通信端末２によって実現される機能は、図２に示すＣＰＵ２２、ＲＡＭ２３等のハードウェア上に所定のプログラムを読み込ませることにより、ＣＰＵ２２の制御のもとで移動通信モジュール２５Ａ、近距離通信モジュール２５Ｂ、入力装置２７、出力装置２８を動作させるとともに、ＲＡＭ２３や補助記憶装置２６におけるデータの読み出し及び書き込みを行うことで実現される。
【００２０】
移動通信端末２は、図１に示すように、機能的な構成要素として、移動通信部（移動通信手段）１２１、近距離通信部（近距離通信手段）１２２、通信管理部（通信管理手段）１２３、計時部（計時手段）１２４、データ管理部（データ管理手段）１２５、データ記憶部（データ記憶手段）１２６、及びアプリケーションプログラム（アプリケーション機能部）１２７ａ，１２７ｂを備える。
【００２１】
アプリケーションプログラム１２７ａ，１２７ｂは、サーバ装置４からダウンロードされるデータに関連して動作するプログラムであり、例えば、Ｗｅｂブラウザ、ファイル交換用プログラム等のデータ通信用のプログラムが該当する。このアプリケーションプログラム１２７ａ，１２７ｂの機能により、サーバ装置４からのデータのダウンロード処理が起動されて、そのデータがパーソナルコンピュータ５に逐次転送される。
【００２２】
移動通信部１２１は、移動通信網ＮＷに対して基地局３を介して移動通信方式を利用して接続することにより、サーバ装置４との間でデータを送受信する。すなわち、移動通信部１２１は、通信プロトコルにおける下位レイヤの移動通信機能を有し、上位レイヤの通信機能を有するアプリケーションプログラム１２７ａ，１２７ｂと連携してサーバ装置４からデータをダウンロードする。
【００２３】
近距離通信部１２２は、パーソナルコンピュータ５と赤外線通信、ブルートゥース通信、非接触ＩＣカード通信等の近距離通信方式を利用して接続することにより、パーソナルコンピュータ５との間でデータを送受信する。具体的には、近距離通信部１２２は、下位レイヤの近距離通信機能を有し、アプリケーションプログラム１２７ａ，１２７ｂと連携してパーソナルコンピュータ５に対してデータを送信する。ここで、近距離通信部１２２によってパーソナルコンピュータ５と接続する際には、通信可能なエリアがパーソナルコンピュータ５の近傍に限定されているため、ユーザによって移動通信端末２がパーソナルコンピュータ５の近傍に配置される。
【００２４】
通信管理部１２３は、近距離通信部１２２によるパーソナルコンピュータ５との接続状態を検出する。詳細には、通信管理部１２３は、パーソナルコンピュータ５との接続がタイムアウトしたこと、パーソナルコンピュータ５からの信号が検出できず圏外状態になったこと、パーソナルコンピュータ５との間のデータ転送速度（スループット）が低下したこと等を検出する。そして、通信管理部１２３は、検出した接続状態を示す情報（“正常状態”または“圏外状態”）を、計時部１２４及びデータ管理部１２５に出力する。この接続状態“圏外状態”とは、パーソナルコンピュータ５との間の距離が離れた、パーソナルコンピュータ５との間に障害物が存在する等の理由により、パーソナルコンピュータ５との接続が切断状態であることを意味し、“正常状態”とは、パーソナルコンピュータ５の間の接続が正常に維持されスループットも確保されていることを意味する。
【００２５】
計時部１２４は、通信管理部１２３によって近距離通信の接続状態が“圏外状態”であると検出されてからの経過時間を測定し、得られた経過時間Ｔ０を継続的にデータ管理部１２５に出力する。
【００２６】
データ管理部１２５は、移動通信部１２１によってダウンロードされているデータをその都度受け取り、そのデータをリアルタイムで近距離通信部１２２に引き渡し、近距離通信部１２２によってパーソナルコンピュータ５に自動転送させるように制御する。その際、データ管理部１２５は、ダウンロードデータをデータ記憶部１２６に一時記憶させ、近距離通信部１２２による転送が完了したデータはその都度データ記憶部１２６から削除するように制御する。すなわち、データ管理部１２５は、随時、近距離通信部１２２による転送が完了したデータブロック（部分）を監視し、そのデータブロックをデータ記憶部１２６から削除する。
【００２７】
また、データ管理部１２５は、通信管理部１２３から渡された近距離通信の接続状態が“圏外状態”に遷移した場合は、移動通信部１２１によるデータのダウンロードをそのまま継続させ、ダウンロードデータをパーソナルコンピュータ５に対して未送信であるデータブロックに追加してデータ記憶部１２６に記憶させる。さらに、データ管理部１２５は、近距離通信の接続状態が“圏外状態”から“正常状態”に遷移した場合には、まず、未送信のデータブロックをデータ記憶部１２６から読み出した後に、それらのデータブロックを先に近距離通信部１２２に引き渡すことによりパーソナルコンピュータ５に転送させる。そして、データ管理部１２５は、転送済みのデータブロックを随時データ記憶部１２６から削除しながら全ての未送信のデータブロックの転送が完了した後に、新たに移動通信部１２１によってダウンロードされてくるデータを、近距離通信部１２２に引き渡す。このとき、移動通信部１２１は、既にダウンロードされてデータ記憶部１２６に記憶済みのデータブロックは二重ではダウンロードしないが、仮に二重でダウンロードされてしまった場合には、データ管理部１２５によりそのデータブロックは破棄される。
【００２８】
また、データ管理部１２５は、計時部１２４から通知された“圏外状態”の持続時間Ｔ０が予め設定された閾値Ｔｔｈ以上である場合には、移動通信部１２１によってダウンロードされてデータ記憶部１２６に一時的に記憶されている未送信のデータブロックを、全て削除するとともに、移動通信部１２１によるデータダウンロードを中止させる。その結果、近距離通信が復旧した際には、パーソナルコンピュータ５に対してデータ転送中であったデータが、移動通信網ＮＷから最初から再度ダウンロードされることになる。さらに、データ管理部１２５は、持続時間Ｔ０が閾値Ｔｔｈ以上である場合には、ダウンロードデータに関連して動作中のアプリケーションプログラム１２７ａ，１２７ｂに、近距離通信が“圏外状態”であることを通知する。逆に言えば、データ管理部１２５は、持続時間Ｔ０が閾値Ｔｔｈ未満である場合には、圏外状態を近距離通信プロトコルの下位レイヤに対応する近距離通信部１２２でのみ検知し、上位レイヤに対応するアプリケーションプログラム１２７ａ，１２７ｂに対しては通知しない。これにより、アプリケーションプログラム１２７ａ，１２７ｂは、通信障害を検知してそれに対応するデータ再送処理等の復旧処理を起動することができる。一方、通信障害が短時間で復旧した場合には、アプリケーションプログラム１２７ａ，１２７ｂが介在しないでスムーズにデータダウンロード処理を自動継続できることになる。
【００２９】
以下、図３を参照して、データダウンロード処理時の移動通信端末２の動作について説明するとともに、併せて移動通信端末２におけるデータダウンロード方法について詳述する。図３は、移動通信端末２のデータダウンロード時の動作を示すフローチャートである。
【００３０】
まず、移動通信端末２内で動作するアプリケーションプログラム１２７ａ，１２７ｂによりサーバ装置４からのデータダウンロード処理が起動されると、移動通信網ＮＷを介してデータの受信が開始されると同時に、パーソナルコンピュータ５との間の近距離通信の接続が確立されることにより、ダウンロードされたデータがパーソナルコンピュータ５に向けて自動転送される（ステップＳ１０１）。その後、データ管理部１２５により、定期的に近距離通信の接続状態が“圏外状態”であるか否かが判定される（ステップＳ１０２）。判定の結果、接続状態が“圏外状態”でなく“正常状態”である場合は（ステップＳ１０２；ＮＯ）、処理をステップＳ１０９に移行させ、ダウンロード対象の全てのデータが続けて転送される（ステップＳ１０９）。
【００３１】
一方、接続状態が“圏外状態”である場合は（ステップＳ１０２；ＹＥＳ）、データ管理部１２５によりサーバ装置４からダウンロード中のデータが存在するか否かがさらに判定される（ステップＳ１０３）。その結果、ダウンロード中のデータが存在する場合には（ステップＳ１０３；ＹＥＳ）、ダウンロードされたデータブロックが、パーソナルコンピュータ５に対して未送信のデータブロックに付加されてデータ記憶部１２６に記憶される（ステップＳ１０４）。それに並行して、定期的に近距離通信部１２２によってパーソナルコンピュータ５に対する再接続が試みられる（ステップＳ１０５）。これに対して、ダウンロード中のデータが存在しない場合には（ステップＳ１０３；ＮＯ）、そのままパーソナルコンピュータ５に対する再接続が試みられる（ステップＳ１０５）。
【００３２】
次に、データ管理部１２５により近距離通信の接続状態が“通常状態”に遷移したか否かが判定される（ステップＳ１０６）。判定の結果、接続状態が“通常状態”に遷移した場合には（ステップＳ１０６；ＹＥＳ）、データ記憶部１２６に保存済みの未送信データブロックが存在するか否かが更に判定される（ステップＳ１０７）。そして、未送信データブロックが存在する場合には（ステップＳ１０７；ＹＥＳ）、そのデータブロックが先に近距離通信によってパーソナルコンピュータ５に転送された後に（ステップＳ１０８）、無線通信を利用してダウンロードされてくる残りのデータブロックが転送される（ステップＳ１０９）。その一方で、未送信データブロックが存在しない場合には（ステップＳ１０７；ＮＯ）、その後に無線通信を利用してダウンロードされてくるデータがパーソナルコンピュータ５に転送される（ステップＳ１０９）。
【００３３】
ステップＳ１０６において、近距離通信の接続状態が“圏外状態”のままで維持された場合は（ステップＳ１０６；ＮＯ）、“圏外状態”の持続時間Ｔ０が予め設定された閾値Ｔｔｈ以上の時間を経過したか否かが判定される（ステップＳ１１０）。その結果、持続時間Ｔ０が閾値Ｔｔｈを経過していない場合には（ステップＳ１１０；ＮＯ）、処理をステップＳ１０５に移行してパーソナルコンピュータ５に対する再接続が試みられる（ステップＳ１０５）。
【００３４】
一方、持続時間Ｔ０が閾値Ｔｔｈを経過している場合には（ステップＳ１１０；ＹＥＳ）、データ記憶部１２６に保存された未送信データブロックが存在するか否かが判定される（ステップＳ１１１）。そして、未送信データブロックが存在する場合には（ステップＳ１１１；ＹＥＳ）、データ管理部１２５によりデータ記憶部１２６からそれらのデータブロックが削除される（ステップＳ１１２）。その後、データ管理部１２５からアプリケーションプログラム１２７ａ，１２７ｂに対して、パーソナルコンピュータ５との接続状態が“切断状態”であることが通知され（ステップＳ１１３）、データダウンロード処理が終了される。
【００３５】
図４は、移動通信端末２におけるデータダウンロード処理の概念図である。同図では、移動通信端末２を利用して移動通信網ＮＷに接続されたサーバ装置４からパーソナルコンピュータ５に向けて、データをダウンロードすることを想定する。このとき、移動通信端末２に着信があってユーザによって移動通信端末２がパーソナルコンピュータ５から遠ざけられると、ダウンロード中であったデータＤ１の転送が完了する前に移動通信端末２とパーソナルコンピュータ５との間の接続が切断される（図４（ａ））。その後、パーソナルコンピュータ５との接続が回復されるまでは、移動通信網ＮＷから受信されるデータＤ１のうちの未転送のデータブロックＤＢが移動通信端末２に一時記憶される。
【００３６】
そして、移動通信端末２の位置が元に戻されて移動通信端末２とパーソナルコンピュータ５との間の近距離通信の切断状態が復旧すると、一時記憶された未転送のデータブロックＤＢが順次パーソナルコンピュータ５に転送される（図４（ｂ））。次に、ダウンロード対象のデータＤ１のうちの移動通信網ＮＷから受信される残りのデータブロックが、パーソナルコンピュータ５に転送される。
【００３７】
以上説明した移動通信端末２及びデータダウンロード方法によれば、移動通信部１２１によってサーバ装置４からデータがダウンロードされ、近距離通信部１２２によってそのデータがパーソナルコンピュータ５等の対向設備に送信され、通信管理部１２３によって近距離通信部１２２による接続状態が検出され、データ記憶部１２６によってダウンロードされたデータが一時記憶され、データ管理部１２５によって一時記憶されたデータが近距離通信部１２２に引き渡される。ここで、近距離通信部１２２の接続状態が“圏外状態”であっても、データ記憶部１２６にはダウンロード中のデータブロックが追加して記憶され、その後、“圏外状態”から“正常状態”に遷移すると、データ記憶部１２６に記憶された未送信のデータブロックが、近距離通信部１２２に引き渡されて対向設備に送信される。これにより、近距離通信が一時切断された場合であっても、ダウンロードデータを欠落や重複を生じることなく対向設備に転送することができる。その結果、移動通信方式及び近距離通信方式の２種類の通信方式を利用してデータを中継する場合に、近距離通信方式の接続状態に応じて円滑にデータをダウンロードさせることができる。
【００３８】
また、近距離通信がある一定時間以上切断されている場合に、一時保持したデータをデータ記憶部１２６から削除するので、再度該当データをダウンロードすることでデータの同一性を保障してデータの信頼性を保つことができる。また、近距離通信がある一定時間以上切断されている場合にアプリケーションプログラムによる所定の動作を可能にするので、通信障害時のデータ再送等の円滑な復旧処理が実現される。
【００３９】
なお、本発明は、前述した実施形態に限定されるものではない。例えば、データをダウンロード元の機器としては移動通信網ＮＷに接続可能な通信機器であれば特定種類の機器には限定されず、携帯電話機、パーソナルコンピュータ等の通信端末であってもよい。また、ダウンロード先の機器としても、近距離通信が可能な機器であれば、携帯電話機、ＰＤＡ、サーバ装置等の様々な種類の機器を使用することができる。
【符号の説明】
【００４０】
２…移動通信端末、５…パーソナルコンピュータ（対向設備）、１２１…移動通信部（移動通信手段）、１２２…近距離通信部（近距離通信手段）、１２３…通信管理部（通信管理手段）、１２４…計時部（計時手段）、１２５…データ管理部（データ管理手段）、１２６…データ記憶部（データ記憶手段）、１２７ａ，１２７ｂ…アプリケーションプログラム（アプリケーション機能部）、ＮＷ…移動通信網。
【図１】
2011004258.tif 000003
【図２】
2011004258.tif 000004
【図３】
2011004258.tif 000005
【図４】
2011004258.tif 000006